(57)【要約】【課題】映像記録装置において、クロック周期による時間軸の補正が困難な場合にも、映像信号の破綻を低減することにある。【解決手段】エラー検出回路９により水平同期期間ごとのＲｅｃ．６５６形式の映像信号のエラーを検出して、フラグ加算回路１０により水平同期期間の映像信号にエラーの有無を表すフラグを付加し、映像信号及びフラグを順次、フレームシンクロナイズ用のフレームメモリ８１に記憶し、フレームメモリ８１から映像信号を読み出す場合に、フラグに基づいてエラーの有無を識別し、エラーが識別されたラインの映像信号Ｌｉｎｅ（ｎ）を、フレームメモリに８１記憶された前のラインの映像信号Ｌｉｎｅ（ｎ−１）で置き換えて回復する。【選択図】　　　図２
2004048614.tif 000002
【特許請求の範囲】
【請求項１】
映像信号に含まれる水平同期信号に基づいてクロック周期を補正する時間軸補正を行うと共にフレームシンクロナイズを行い、Ｒｅｃ．６５６形式の映像信号を記録する映像記録装置において、
水平同期期間ごとのＲｅｃ．６５６形式の映像信号のエラーを検出して、前記水平同期期間の映像信号にエラーの有無を表すフラグを付加し、
前記映像信号及び前記フラグを順次、フレームシンクロナイズ用のフレームメモリに記憶し、
前記フレームメモリから映像信号を読み出す場合に、前記フラグに基づいてエラーの有無を識別し、
エラーが識別されたラインの映像信号を、前記フレームメモリに記憶された前又は後のラインの映像信号を用いて回復する、
ことを特徴とする映像記録装置。
【請求項２】
映像信号に含まれる水平同期信号に基づいてクロック周期を補正する時間軸補正を行い、Ｒｅｃ．６５６形式の映像信号を記録する映像記録装置において、
水平同期期間ごとのＲｅｃ．６５６形式の映像信号のエラーを検出して、前記水平同期期間の映像信号にエラーの有無を表すフラグを付加するエラー検出手段と、
前記映像信号及び前記フラグを順次記憶する記憶手段と、
前記記憶手段から映像信号を読み出す場合に、前記フラグに基づいてエラーの有無を識別するエラー識別手段と、
前記エラー識別手段によりエラーが識別されたラインの映像信号を、前記記憶手段に記憶された映像信号を用いて回復するエラー回復手段と、
を備える映像記録装置。
【請求項３】
前記映像記録装置は、クロック周期を補正する時間軸補正を行うと共にフレームシンクロナイズを行い、
前記記憶手段はフレームシンクロナイズ用のフレームメモリである、
請求項２に記載の映像記録装置。
【発明の詳細な説明】
【０００１】
【発明の属する技術分野】
本発明は、映像記録装置、特に、水平同期信号に基づいてクロック周期を補正する時間軸補正を行う映像記録装置に関する。
【０００２】
【従来の技術】
（１）図１は、従来の映像記録装置の機能ブロック図である。この映像記録装置は、水平同期分離回路１と、時間軸補正回路（ＴＢＣ回路）２と、ビデオデコーダ７と、メモリ８とを備えている。
水平同期分離回路１は、入力される映像信号から水平同期信号を分離して取り出す。時間軸補正回路２は、１水平同期期間に含まれるクロックの数をカウントし、クロック周期を補正して書込クロック（ＷｒｉｔｅＣｌｏｃｋ）として出力する。時間軸補正回路２は、例えば、位相比較器３、フィルタ４、ＶＣＯ４及びカウンタ６により構成される。位相比較器３は、水平分離回路１からの水平同期信号とカウンタ６からの出力との位相を比較し、位相差に基づく制御電圧をフィルタ４に出力する。フィルタ４はノイズ成分を取り除く。ＶＣＯ５は、フィルタ４によりノイズの取り除かれた制御電圧に基づいて書込クロックを出力する。カウンタ６は、ＶＣＯ５からの書込クロックの数をカウントし、位相比較器３に出力する。
【０００３】
ビデオデコーダ７は、入力される映像信号をＲｅｃ．６５６形式に変換する。また、ビデオデコーダ７は、Ｒｅｃ．６５６形式の映像信号を、時間軸補正回路２からの書込クロック（ＷｒｉｔｅＣｌｏｃｋ）に基づいて１水平同期期間ごと読み出す。メモリ８は、１水平期間又は２水平期間の映像データを記憶する。メモリ８は、時間軸補正回路２からの書込クロック（ＷｒｉｔｅＣｌｏｃｋ）に基づいて１水平同期期間ごとに映像データを記憶し、読出クロック（ＲｅａｄＣｌｏｃｋ）に基づいて１水平期間ごとの映像信号を出力する。
【０００４】
この映像記録装置では、水平同期信号に基づいて書込クロック（ＷｒｉｔｅＣｌｏｃｋ）を調節することにより、記録される映像信号の時間軸を補正している。
また、従来の映像記録装置としては、特開平４−２８６４８３号公報、特開平６−７８２７５号公報に記載されたものがある。
（２）特開平４−２８６４８３号公報に記載された映像記録装置は、映像信号を記録する際に独自の同期信号と共に記録し、映像信号を再生する際にこの同期信号を基準信号として再生することにより、時間軸の誤差を補正するものである。
（３）特開平６−７８２７５号公報に記載された映像記録装置は、水平同期信号のエラーを予測し、水平同期信号のタイミングを可変遅延線により修正することにより、時間軸補正を行うものである。
【０００５】
また、時間軸の誤差によるデータ読出の誤りを防止する録音再生装置が、特開昭５７−５０３０８号公報に記載されている。
（４）特開昭５７−５０３０８号公報に記載された録音再生装置は、エラーのあるＰＣＭデータのフラグを「１」とし、再生側においてエラーのあったブロックのデータを読まないようにしている。
【０００６】
【発明が解決しようとする課題】
（１）図１に示した映像記録装置では、水平同期信号に基づいて書込クロックを調節するが、水平同期信号が急激に変動した場合には書込クロックを適切に調整できず、画面内の縦線が歪むなどの弊害が起こるおそれがある。このようにクロック周期による時間軸が正しく補正されない場合にも、映像信号の破綻を低減することが必要である。
（２）特開平４−２８６４８３号公報に記載された映像記録装置では、映像の記録の際に独自の同期信号を付加するので、独自の同期信号を読み取る再生装置でなければ時間軸の補正ができない。従って、一般の映像再生装置では、映像の再生の際に時間軸の補正ができない。
（３）特開平６−７８２７５号公報に記載された映像記録装置では、エラーを予測して水平同期信号を遅延させるものであるが、水平同期信号が急激に変動した場合には時間軸を正しく補正できないおそれがある。また、時間軸が正しく補正できない場合に、どのように映像信号を回復するかについて記載されていない。
（４）特開昭５７−５０３０８号公報に記載された録音再生装置は、再生側においてエラーのあったブロックのデータを読まないようにするものであるが、エラーのあったＰＣＭデータの回復については記載されていない。
【０００７】
本発明の目的は、映像記録装置において、クロック周期による時間軸の補正が困難な場合にも、映像信号の破綻を低減することにある。
【０００８】
【課題を解決するための手段】
第１発明に係る映像記録装置は、映像信号に含まれる水平同期信号に基づいてクロック周期を補正する時間軸補正を行うと共に、フレームシンクロナイズを行う映像記録装置において、以下の特徴を有する。
即ち、水平同期期間ごとのＲｅｃ．６５６形式の映像信号のエラーを検出して、水平同期期間の映像信号にエラーの有無を表すフラグを付加し、映像信号及びフラグを順次、フレームシンクロナイズ用のフレームメモリに記憶する。また、フレームメモリから映像信号を読み出す場合に、フラグに基づいてエラーの有無を識別し、エラーが識別されたラインの映像信号を、フレームメモリに記憶された前又は後のラインの映像信号を用いて回復する。
【０００９】
ここで、映像記録装置は、例えば、ＶＴＲ、ＤＶＤレコーダ又はハードディスクレコーダである。
この映像記録装置では、急激な水平同期信号の変動によりクロック周期の補正が追従できない場合にも、エラーを含む水平同期期間のＲｅｃ．６５６形式の映像信号を前又は後のラインの映像信号で回復し、映像信号の破綻を低減できる。
【００１０】
また、フレームシンクロ用のフレームメモリに記憶されている映像信号を利用するため、映像信号回復用として別途のメモリを設ける必要がない。
また、エラーを含むラインの映像信号を前又は後のラインの映像信号と置き換えて映像信号の回復を行うので、簡単な処理で映像信号の回復を行うことができる。
【００１１】
また、エラーを含むラインの映像信号を前及び後のラインの映像信号の平均に置き換えれば、さらに精度の高い映像信号の回復を行うことができる。
また、エラーを含むラインの映像信号を、前及び後のフレームの対応するラインの映像信号と置き換え又はこれらの映像信号の平均に置き換えれば、さらに精度の高い映像信号の回復を行うことができる。
【００１２】
第２発明に係る映像記録装置は、映像信号に含まれる水平同期信号に基づいてクロック周期を補正する時間軸補正を行うと共にフレームシンクロナイズを行い、Ｒｅｃ．６５６形式の映像信号を記録する映像記録装置において、エラー検出手段と、記憶手段と、エラー識別手段と、エラー回復手段とを備えている。エラー検出手段は、Ｒｅｃ．６５６形式の水平同期期間ごとの映像信号のエラーを検出して、その水平同期期間の映像信号にエラーの有無を表すフラグを付加する。記憶手段は、映像信号及びフラグを順次記憶する。エラー識別手段は、記憶手段から映像信号を読み出す場合に、フラグに基づいてエラーの有無を識別する。エラー回復手段は、エラー識別手段によりエラーが識別されたラインの映像信号を、記憶手段に記憶された映像信号を用いて回復する。
【００１３】
この映像記録装置では、急激な水平同期信号の変動によりクロック周期の補正が追従できない場合にも、エラーを含むラインのＲｅｃ．６５６形式の映像信号を記憶手段の映像信号で回復し、映像信号の破綻を低減できる。
第３発明に係る映像記録装置は、第２発明に係る映像記録装置において、映像記録装置は、クロック周期を補正する時間軸補正を行うと共にフレームシンクロナイズを行う。また、記憶手段はフレームシンクロナイズ用のフレームメモリである。
【００１４】
この映像記録装置では、フレームシンクロ用のフレームメモリに記憶されている映像信号を利用するため、映像信号回復用として別途のメモリを設ける必要がない。
また、エラーを含むラインの映像信号を、前又は後のラインの映像信号と置き換えて映像信号の回復を行えば、簡単な処理で映像信号の回復を行うことができる。
【００１５】
また、エラーを含むラインの映像信号を、前及び後のラインの映像信号の平均に置き換えれば、さらに精度の高い映像信号の回復を行うことができる。
また、エラーを含むラインの映像信号を、前及び後のフレームの対応するラインの映像信号と置き換え又はこれらの映像信号の平均に置き換えれば、さらに精度の高い映像信号の回復を行うことができる。
【００１６】
（１）
【発明の実施の形態】
（１）第１実施形態例
（１−１）構成
図２は、第１実施形態例に係る映像記録装置の機能ブロック図である。
この映像記録装置は、水平同期分離回路１と、時間軸補正回路（ＴＢＣ回路）２と、ビデオデコーダ７とを備えている。また、メモリ８の代わりにフレームメモリ８１を備えている。さらに、エラー検出回路９及びフラグ加算器１０と、フラグ識別回路１１と、エラー回復回路１２とを備えている。
【００１７】
ここで、映像信号入力は、ビデオテープ、ＤＶＤ、チューナなどから読み込まれる映像信号である。映像信号出力は、ビデオテープ、ＤＶＤ、ハードディスクなどに記録される映像信号である。
水平同期分離回路１は、映像信号入力から水平同期信号を分離する。時間軸補正回路２は、各水平同期期間に含まれるクロックの数をカウントし、クロック周期を補正して書込クロック（ＷｒｉｔｅＣｌｏｃｋ）として出力する。時間軸補正回路２は、位相比較器３と、フィルタ４と、ＶＣＯ５と、カウンタ６とを有している。位相比較器３は、水平分離回路１からの水平同期信号とカウンタ６からのクロック数との位相を比較し、位相差に基づく制御電圧をフィルタ４に出力する。フィルタ４はノイズ成分を取り除く。ＶＣＯ５は、フィルタ４によりノイズの取り除かれた制御電圧に基づいて書込クロックを出力する。カウンタ６は、ＶＣＯ５からの書込クロックの数をカウントし、位相比較器３に出力する。
【００１８】
ビデオデコーダ７は、映像信号をＲｅｃ．６５６形式に変換し、Ｒｅｃ．６５６形式の映像信号を時間軸補正回路２からの書込クロックに基づいて出力する。エラー検出回路９は、Ｒｅｃ．６５６形式の映像信号から水平同期信号を分離し、１水平同期期間に含まれるクロック数が正しいか否かをチェックする。チェックの結果、クロック数が正常であればフラグを「０」とし、クロック数が正常でなければフラグを「１」とする。
【００１９】
フラグ加算回路１０は、Ｒｅｃ．６５６形式の映像信号にフラグを加える。フラグが付加された映像信号は、時間軸補正回路２からの書込クロック（ＷｒｉｔｅＣｌｏｃｋ）に基づいて水平同期期間ごとに、フレームメモリ８１に記憶される。
フレームメモリ８１は、フレームシンクロナイズ用のフレームメモリであり、１又は複数のフレームの映像信号を記憶する。フレームメモリ８１に記憶されている映像データは、読出クロック（ＲｅａｄＣｌｏｃｋ）に基づいて、隣り合う２ラインごとに映像信号が読み出される。ここでは、ｎ番目のラインの映像信号Ｌｉｎｅ（ｎ）と、ｎ―１番目の映像信号Ｌｉｎｅ（ｎ―１）とを読み出す。
【００２０】
エラー識別回路１１は、Ｌｉｎｅ（ｎ）の映像信号のフラグが「０」か「１」かを識別し、フラグが「１」である場合には置換命令をエラー回復回路１２に出力する。
エラー回復回路１２は、置換命令があった場合にＬｉｎｅ（ｎ）の映像信号をＬｉｎｅ（ｎ―１）の映像信号に置換する。
（１−２）フローチャート
図３は、フレームメモリへの書込処理のフローチャートである。
【００２１】
ステップＳ１１：エラー検出回路９は、Ｒｅｃ．６５６形式の映像信号から水平同期信号を分離し、１水平同期期間のクロック数が正しいか否かを判断する。正しい場合にはステップＳ１２に移行し、正しくない場合にはステップＳ１３に移行する。
ステップＳ１２：エラー検出回路９がフラグを「０」にセットし、フラグ加算回路１０がＲｅｃ．６５６形式の映像信号にフラグを付加する。
【００２２】
ステップＳ１３：エラー検出回路９がフラグを「１」にセットし、フラグ加算回路１０がＲｅｃ．６５６形式の映像信号にフラグを付加する。
ステップＳ１４：フラグが付加された映像信号をフレームメモリ８１に１水平同期期間ごとに書き込み、ステップＳ１１に戻る。
図４は、エラー回復処理のフローチャートである。
【００２３】
ステップＳ１５：読出クロック（ＲｅａｄＣｌｏｃｋ）に基づきフレームメモリ８１から映像信号を読み出す。
ステップＳ１６：エラー識別回路１１は、Ｌｉｎｅ（ｎ）のフラグが「１」であるか否かを判別する。「１」であればステップＳ１６に移行し、「１」でなければステップＳ１７に移行する。
【００２４】
ステップＳ１６：エラー回復回路１１がＬｉｎｅ（ｎ）の映像信号をＬｉｎｅ（ｎ−１）の映像信号に置き換える。
ステップＳ１７：映像信号をビデオテープ、ＤＶＤ、ハードディスクなどの記録媒体に出力し、ステップＳ１５に戻る。
（１−３）まとめ
第１実施形態例に係る映像記録装置によれば、Ｒｅｃ．６５６形式の映像信号Ｌｉｎｅ（ｎ）にエラーがある場合に、隣のラインの映像信号Ｌｉｎｅ（ｎ−１）で置き換えることにより、エラーを含む映像信号Ｌｉｎｅ（ｎ）を回復できる。従って、急激な水平同期信号の変動などによってクロック周期の補正による時間軸補正が追従できない場合にも、Ｒｅｃ．６５６形式の映像信号の破綻を低減できる。
【００２５】
また、フレームシンクロナイズ用のフレームメモリ８１に記憶されている映像信号を使用するので、映像信号の回復のために別途メモリを用意する必要がない。
（１−４）変形例
上記では、Ｌｉｎｅ（ｎ）を１ライン後のＬｉｎｅ（ｎ＋１）で置き換えたが、Ｌｉｎｅ（ｎ）を１ライン前のＬｉｎｅ（ｎ−１）で置き換える様にしても良い。
（２）第２実施形態例
図５は、第２実施形態例に係る映像記録装置の機能ブロック図である。
【００２６】
この映像記録装置は、第１実施形態例に係るエラーリカバリー回路１２の代わりにエラーリカバリー回路１２１を備えている。他の構成については第１実施形態例と同様であるので説明を省略する。
エラーリカバリー回路１２１は、Ｌｉｎｅ（ｎ）と共にＬｉｎｅ（ｎ−１）及びＬｉｎｅ（ｎ＋１）の映像信号を読み出す。また、Ｌｉｎｅ（ｎ）のフラグが「１」である（エラーを含む）場合には、Ｌｉｎｅ（ｎ）をＬｉｎｅ（ｎ−１）及びＬｉｎｅ（ｎ＋１）の映像信号の平均で置き換える。
【００２７】
この映像記録装置におけるフレームメモリへの書込処理のフローチャート及びエラー回復のフローチャートは、ステップＳ１７でのエラー回復処理が異なる以外は、図３及び図４と同様である。ステップＳ１７のエラー回復処理では、Ｌｉｎｅ（ｎ）の映像信号を前及び後のラインの映像信号の平均で置き換える。
この映像記録装置によれば、エラーのあったラインの映像信号Ｌｉｎｅ（ｎ）を前後のラインの映像信号Ｌｉｎｅ（ｎ−１）及びＬｉｎｅ（ｎ＋１）の平均で置き換えるので、さらに精度の高い映像信号の回復処理を行うことができる。
【００２８】
また、前後２ラインずつの映像信号の合計４ラインの映像信号の平均で置き換えれば、さらに精度の高い映像信号の回復処理を行うことができる。
（３）第３実施形態例
図６は、第３実施形態例に係る映像記録装置の機能ブロック図である。
この映像記録装置は、第１実施形態例に係るエラーリカバリー回路１２の代わりにエラーリカバリー回路１２２を備えている。他の構成については第１実施形態例と同様であるので説明を省略する。
【００２９】
エラーリカバリー回路１２２は、Ｌｉｎｅ（ｎ）と共に、１フレーム前のｎ番目のラインの映像信号Ｌｉｎｅ（ｎ’）を読み出す。また、Ｌｉｎｅ（ｎ）のフラグが「１」である（エラーを含む）場合には、Ｌｉｎｅ（ｎ）をＬｉｎｅ（ｎ’）で置き換える。
この映像記録装置におけるフレームメモリへの書込処理のフローチャート及びエラー回復のフローチャートは、ステップＳ１７でのエラー回復処理が異なる以外は、図３及び図４と同様である。ステップＳ１７のエラー回復処理では、Ｌｉｎｅ（ｎ）を１フレーム前のｎ番目のラインの映像信号に置き換える。
【００３０】
この映像記録装置によれば、エラーのあったラインの映像信号Ｌｉｎｅ（ｎ）を１フレーム前の映像信号で置き換えるので、さらに精度の高い映像信号の回復処理を行うことができる。
なお、Ｌｉｎｅ（ｎ）を１ライン後のｎ番目のラインの映像信号で置き換える様にしても良い。
（４）第４実施形態例
図７は、第４実施形態例に係る映像記録装置の機能ブロック図である。
【００３１】
この映像記録装置は、第１実施形態例に係るエラーリカバリー回路１２の代わりにエラーリカバリー回路１２３を備えている。他の構成については第１実施形態例と同様であるので説明を省略する。
エラーリカバリー回路１２３は、Ｌｉｎｅ（ｎ）の映像信号と共に、１フレーム前及び後のｎ番目のラインの映像信号Ｌｉｎｅ（ｎ’）及びＬｉｎｅ（ｎ’’）を読み出す。また、Ｌｉｎｅ（ｎ）のフラグが「１」である（エラーを含む）場合には、Ｌｉｎｅ（ｎ）をＬｉｎｅ（ｎ’）及びＬｉｎｅ（ｎ’’）の平均で置き換える。
【００３２】
この映像記録装置におけるフレームメモリへの書込処理のフローチャート及びエラー回復のフローチャートは、ステップＳ１７でのエラー回復処理が異なる以外は、図３及び図４と同様である。ステップＳ１７のエラー回復処理では、Ｌｉｎｅ（ｎ）を１フレーム前及び後のｎ番目のラインの映像信号の平均に置き換える。
【００３３】
この映像記録装置によれば、エラーのあったラインの映像信号Ｌｉｎｅ（ｎ）を１フレーム前及び後の映像信号Ｌｉｎｅ（ｎ’）及びＬｉｎｅ（ｎ’’）の平均置き換えるので、さらに精度の高い映像信号の回復処理を行うことができる。また、前後２フレームずつの合計４フレームの映像信号の平均で置き換えれば、さらに精度の高い映像信号の回復処理を行うことができる。
【００３４】
【発明の効果】
本発明によれば、映像記録装置において、クロック周期による時間軸の補正が困難な場合にも、映像信号の破綻を低減できる。
【図面の簡単な説明】
【図１】従来の映像記録装置の機能ブロック図。
【図２】第１実施形態例に係る映像記録装置の機能ブロック図。
【図３】フレームメモリへの書込のフローチャート。
【図４】エラー回復処理のフローチャート。
【図５】第２実施形態例に係る映像記録装置の機能ブロック図。
【図６】第３実施形態例に係る映像記録装置の機能ブロック図。
【図７】第４実施形態例に係る映像記録装置の機能ブロック図。
【符号の説明】
１　水平同期回路
２　時間軸補正回路（ＴＢＣ）
３　位相比較器
４　フィルタ
５　ＶＣＯ
６　カウンタ
７　ビデオデコーダ
８１　メモリ
９　エラー検出回路
１０　フラグ付加回路
１１　エラー識別回路
１２，１２１，１２２，１２３　エラー回復回路
【図１】
2004048614.tif 000003
【図２】
2004048614.tif 000004
【図３】
2004048614.tif 000005
【図４】
2004048614.tif 000006
【図５】
2004048614.tif 000007
【図６】
2004048614.tif 000008
【図７】
2004048614.tif 000009